(57)【特許請求の範囲】
【請求項１】
着用者の胴部に周回状に装着する胴回部と、着用者の後部側に装着するお太鼓とを別体で構成した簡易帯において、該胴回部は着用者の胴部に装着可能な帯胴体と該帯胴体の両端部に縫着された結び紐とで構成し、該お太鼓を略長方形状の下端部に垂先部を有する略長方形状の帯本体部と該帯本体部の縦軸線方向と直交する横軸線方向に縫着した手先部と、該手先部に帯締めを予め挿通しておくための紐通し部とで構成したことを特徴とする簡易帯。
【請求項２】
該胴回部は略長方形状を有する胴回本体部と、該胴回本体部の一端部に下から上に向けてテーパー状にカットしたカット部と、他端部を該胴回本体部の横軸線方向と略直角になるようにカットしたカット部とで一体成形した該帯胴体と該帯胴体の両端部に縫着された該結び紐とから構成したことを特徴とする請求項１記載の簡易帯。
【請求項３】
上方部にタック部を設けるとともに下方部に該垂先部を設けた該帯本体部であって、該帯本体部を構成する該垂先部の上端部と該太鼓部の下端部の折り返し部分の一部を縫着して上線を形成したことを特徴とする請求項１記載の簡易帯。
【請求項４】
該帯本体部を２つ折りにして上方部に該太鼓部を有し下方部に該垂先部を有する主要部と、該主要部の長さより短い寸法の折り返し部とで構成したことを特徴とする請求項１記載の簡易帯。
【発明の詳細な説明】
【０００１】
【発明が属する技術分野】
本発明は、従来着付けの難しかった帯の装着が極めて簡単であるとともに、装着後の安定性に優れた簡易帯に関するものである。
【０００２】
【従来の技術】
従来、女性が和服を着上げた後で帯を結ぶ場合には、１本の帯を次のようにしてお太鼓結びが行われていた。すなわち、
（１）手先部になる帯の一端を背中から左肩を経て、胸の位置まで持ってくる。
【０００３】
（２）背後の手先部の元から、胴に２回巻き付けて、仮紐で、帯を固定する。
（３）上に取った手先部を下へ三角になるように折り返し、手先部を前に挟む。
（４）お太鼓のポイントとなる柄模様に合わせて山を決める。
（５）お太鼓に帯揚げをかけ、お太鼓の裏側の皺を伸ばし背中に当てる。お太鼓の山をほどよくつぶすようにして、帯枕の紐を締める。
【０００４】
（６）お太鼓の山の方より下の方へ皺を伸ばして行く。
（７）仮紐で、お太鼓の大きさを決める。
（８）垂先部は人差指１本分測る。
（９）お太鼓の下部の内側へ手先部を通す。
（１０）手先部の表側から、帯締めを入れ、胴の前で、しっかり結んで、出来上がりとなる。
（１１）仮紐を外す。
【０００５】
【発明が解決しようとする課題】
しかしながら、このようなお太鼓結びは、初心者にとって鏡に投影した自分の姿を見ながら帯を結ぶことは不可能であり、必ず熟練した補助者が着用者の後部側で手ほどきを行わなければならないといった欠点がある。
【０００６】
また、特にお太鼓結びを形成する時、垂先の長さが決まらなかったり、お太鼓結びの山線がきれいにできなかったり、あるいは手先を作るとき帯が弛んでしまい手先を帯の間に入れ難いといった問題があった。
【０００７】
本発明は、上記問題点に鑑みてなされたものであり、その目的は、補助者を要することなく着用者自身で帯を結ぶことが至極簡易に一人で行え、手先部については単に折り込みながら素早く形成でき、かつ仕上がりが確実で形崩れもしないお太鼓結びを形成できる簡易帯を提供することにある。
【０００８】
【課題を解決するための手段】
上記課題を解決するために、本発明に係る第１の発明では、着用者の胴部に周回状に装着する胴回部と、着用者の後部側に装着するお太鼓とを別体で構成した簡易帯において、該胴回部は着用者の胴部に装着可能な帯胴体と該帯胴体の両端部に縫着された結び紐とで構成し、該お太鼓を下端部に垂先部を有する略長方形状の帯本体部と該帯本体部の縦軸線方向と直交する横軸線方向に縫着した手先部と、該手先部に帯締めを予め挿通しておくための紐通し部とで構成した。
【０００９】
第１の発明を主体とする第２の発明では、該胴回部は略長方形状を有する胴回本体部と、該胴回本体部の一端部に下から上に向けてテーパー状にカットしたカット部と、他端部を該胴回本体部の横軸線方向と略直角になるようにカットしたカット部とで一体成形した該帯胴体と該帯胴体の両端部に縫着された該結び紐とから構成した。
【００１０】
第１の発明を主体とする第３の発明では、上方部にタック部を設けるとともに下方部に該垂先部を設けた該帯本体部であって、該帯本体部を構成する該垂先部の上端部と該太鼓部の下端部の折り返し部分の一部を縫着して上線を形成した。
【００１１】
第１の発明を主体とする第４の発明では、該帯本体部を２つ折りにして上方部に該太鼓部を有し下方部に該垂先部を有する主要部と、該主要部の長さより短い寸法の折り返し部とで構成した。
【００１２】
【発明の実施の形態】
以下に、本発明に係る簡易帯の具体的実施形態を図面を参照して詳細に説明する。図１は本発明の簡易帯の展開図、図２は胴回部の正面図、図３は図２の胴回部に帯板を挿入するための説明図、図４は本発明に係るお太鼓の下方部を裏返した場合の展開図、図５はお太鼓の表側からみた展開図、図６は太鼓部と折り返し部との縫着状態を説明する説明図、図７は帯本体部の絞り部を折り曲げて帯枕の内側に組み込んだ正面図、図８は本発明の簡易帯のその他の実施例、図９は本発明に係るお太鼓を裏返した場合の展開図、図１０は帯本体部を折り曲げて太鼓部を形成した正面図である。
【００１３】
まず、本発明に係る簡易帯については、名古屋帯を簡易に使用できるようにした適応例を図１〜図７を用いて実施例１に説明し、二重にして正装、礼装用に用いられる袋帯を簡易に使用できるようにした適応例を図８〜図１０を用いて実施例２に説明する。
【００１４】
【実施例１】
本発明の簡易帯１は、表地のみ縫着して簡易帯１として使用できるようにしたものであり、図１のように胴回部３とお太鼓５とを別体に構成したものである。胴回部３は着用者が胴部に周回状に装着し、お太鼓５は着用者が後部側に装着するものである。次に、図２を用いて胴回部３を説明する。胴回部３は帯胴体７とこの帯胴体７の両端部に縫着された結び紐９、１１とから構成されている。
【００１５】
帯胴体７は柄模様を着用者の前部側に位置するように着用者の胴部に周回状に装着するものである。また帯胴体７は、略長方形状を有する胴回本体部１３と胴回本体部１３の一端部に下から上に向けて略４５度のテーパー状にカットしたカット部１５ａと、他端部は胴回本体部１３の横軸線方向に対して略直角にカットしたとカット部１５ｂで一体構成としたものである。
【００１６】
これら帯胴体７は、図３に示すように着用者の外側に位置する表体１９と着用者の着物側に位置する裏体２１とで重畳構成され、裏体２１の幅寸法の方が表体１９の幅寸法より約１ｃｍ程度幅広となるように作られている。これは、帯胴体７を着用者の胴部に周回状に装着した場合、外側から見てあたかも帯を二重に巻いているように見せるためである。
【００１７】
当該表体１９と裏体２１は略同一形状を成し、表体１９には外から見て表体１９に設けられた柄模様がわかるようになっている。また着用者が帯胴体７を着用した場合、表体１９の外面が皺にならないように表体１９の内部に帯芯（図示略）を挿入した後、下端部を環状にして上端部側の合わせ面が縫着してある。なお、裏体２１は表体１９と同様に下端部を環状にして上端部側のみ縫着するが、内部には帯芯は挿入されていない。
【００１８】
表体１９の外面は前述したように、表体１９の内部に帯芯（図示略）を挿入しても若干皺が発生し易いことから、このような皺が発生しないようにするため、表体１９と裏体２１の間に帯板２３を挟むように挿入した後、柄模様が帯胴体７の中心部に位置するように帯胴体７を胴回しながら装着するとよい。なお、表体１９の内部に挿着した帯芯に固いものを使用することで、帯板２３を使用しないようにしてもよい。、
【００１９】
また帯胴体７の両端には帯胴体７を胴体に固定するための結び紐９、１１が縫着されている。着用者が帯胴体７を胴部に周回状に装着する際は、胴部の後側でテーパー状のカット部１５ａを略直角にカットしたカット部１５ｂの下側で重ね合うようにした状態で紐９、１１同士を行き違いにして、胴体の前側にて紐９、１１同士を結ぶのである。なお、紐９、１１同士の結び目は、表体１９の上面に現れないように、着物と裏体２１との間に差し込むようにするのである。
【００２０】
次に、お太鼓５について図４〜図６を用いて説明する。図４はお太鼓５の下方部を裏返しにした展開図である。お太鼓５は、帯本体部３０と手先部４０から構成（図４）されている。
【００２１】
まず、帯本体部３０について説明する。図４に示すように帯本体部３０は幅が約３０ｃｍ、長さが約９４ｃｍの大きさの略長方形状を成し、帯本体部３０の上端部３１側から下端部３４側に向かってタック部３２を有する絞り部３３、太鼓部３９、第一の折り返し部３８ａ、第二の折り返し部３８ｂおよび垂先部３６の順番に構成されている。
【００２２】
この帯本体部３０の上方部にあって裏側に位置する絞り部３３の上端部３１に、略左右対称となるようにタック部３２が２個所設けてある。このようなタック部３２を有する絞り部３３で帯枕４８を上から包み込むように装着することにより、図７に示すような太鼓部３９に山（図７のＡの部分）のような自然な膨らみを持たせることができ、ふっくらした量感を出すことができる。
【００２３】
図６は太鼓部と折り返し部との縫着状態を説明する説明図である。太鼓部３９の下方側には、太鼓部３９に隣接した第一の折り返し部３８ａと、第二の折り返し部３８ｂと垂先部３６を有し、太鼓部３９の部分に第一の折り返し部３８ａと第二の折り返し部３８ｂを重ね合わせた後、帯本体部３０の下端部３４から約７ｃｍの長さの（図４のＨの部分）上方位置に、太鼓部３９と第一折り返し部３８ａの折れ曲がり部分がある。
【００２４】
また帯本体部３０の両端部から約５ｃｍ程度（図６のＳの部分）帯本体部３０の中央部寄りに入った位置までは、太鼓部３９と第一折り返し部３８ａの折れ曲がり部分と第二の折り返し部３８ｂ部分を縫着せずにそのままとし、残りの中央部に位置する約２０ｃｍの長さの部分は帯本体部３０と一緒に縫着（図６のＬの部分）してある。
【００２５】
ここで、図６のＳの部分を縫着しない理由について述べる。すなわち、着用者が簡易帯１を着用した場合と、１本の帯でお太鼓結びした場合を比較して、一見してほとんど差異がないようになっている。
【００２６】
通常、帯幅は略３０ｃｍ、長さは４ｍ程度に形成されており、着用者が和服を着上げた後、１本帯でお太鼓結びを行う場合には、外周面に帯を所定の長さ周回して巻き付け、その後で帯の垂先部３６の長さを調整しながら着付けを行うが、当然のことながら１本の帯で帯結びを行なうため、太鼓部３９の下端部と垂先部３６の上端部とが合致した、いわゆる上線４２の部分が縫着されていないため、立体的なボリュウム感がでる。
【００２７】
これに対して、簡易帯１の場合は、上線４２の両端部からそれぞれ約５ｃｍ程度（図６のＳの部分）帯本体部３０の中央部側に入った部分までは縫着されておらず、さらに前述した太鼓部３９と第一折り返し部３８ａの折れ曲がり部分と第二の折り返し部３８ｂ部分を一緒に縫着（図６のＬの部分）した部分は太鼓部３９の丸味を帯びた上線４２の部分で該縫着部分を上から覆い隠すようになるため、従来の１本帯でお太鼓結びをする場合と同様の立体的なボリュウム感を出すことができる。
【００２８】
つぎに帯本体部３０の縦軸線方向と直交する横軸線方向に縫着された手先部４０について述べる。図４に示すように、略長方形状を有した帯本体部３０の一部を構成する太鼓部３９と第一折り返し部３８ａの重畳部の側端部に、長さ寸法が約４２ｃｍ、幅寸法が約１５ｃｍの大きさを有した長方形状の手先部４０の基端部が縫着してある。なお、手先部４０の幅寸法は、一般的には前述した胴回部３の幅寸法に比べて若干大きく製作されているが、同一寸法にてしもよい。
【００２９】
手先部４０の基端部を約８ｃｍ程度折り返し部３８に重ね合わせ（図４）た後、帯本体部３０の側端部から約５ｃｍ入った部分は縫着してあり、手先部４０の基端部の最先端から約３ｃｍの長さ部分は縫着せずに自由端として残してある。
【００３０】
図４に示すように、前述した手先部４０の反基端部側は縫着せずに自由端とし、この自由端側から約１５ｃｍ程度帯本体部３０側に寄った手先部４０の縦軸線上に、小さい矩形状の帯片に切断加工した手先部４０と同材質の紐通し部４４が輪っか状に縫着されている。この紐通し部４４は帯締め４６を挿通して使用するためのものである。このような紐通し部４４を手先部４０の裏面側に配設することにより着用者が初心者であっても帯締め４６が手先部４０の上下方向にずれることもなく、安定して締め付けることができる。
【００３１】
次に、符合４８（図７）は帯枕であり、帯枕４８を両端部が帯枕４８を出し入れ可能なように両端部が開放された筒状の包み帯体（図示略）で内包し、胴回部３の上縁部に周回させて装着するようになっている。
【００３２】
また、帯枕４８を内包した包み帯体で帯枕４８の全体を隠すようにするとともに、さらに包み帯体の上部から帯揚げ５２で包んだ上で、帯揚げ５２の上から例えばゴムバンド（図示略）などで帯枕４８と包み帯体と帯揚げ５２が相互にずれないように固定する。なお、帯揚げ５２は帯枕４８を内包した包み帯体を外部から見て分からないように隠すための装飾用帯の役目を有する。
【００３３】
なお、帯枕４８を固定する位置は、着用者の希望によって異なるが、一般的には、お太鼓５を大きく見せたい場合は、図７に示すように帯枕４８を手先部４０の上端位置より少し離間した上方に設けてもよい。
【００３４】
逆に、お太鼓５を小さく見せたい場合は、帯枕４８を手先部４０の上端部に接した位置に設けてもよい。
【００３５】
着用者が簡易帯１を一人で帯を結ぶ場合の動作手順について説明する。
【００３６】
着用者が和服を着上げた後で、簡易帯１を締めるところから説明する。
まず、
（１）図３に示すように、着用者が胴回部３を胴回しながら着用する際、表体１９に皺が発生しないように、事前に帯胴体の７表体１９と裏体２１との間に帯板２３を挟むように挿入した後、表体１９が着用者の前部側に位置するようにするとともに、表体１９と裏体２１の環状部分が下方側に位置するように胴部に周回状に装着する。
【００３７】
（２）この時、着用者が胴回部３を胴部に周回状に装着する際に、胴部の後側でテーパー状のカット部１５ａが略直角にカットしたカット部１５ｂの下側で重ね合うようにした状態で紐９、１１同士を行き違いにして、胴体の前側にて紐９、１１同士を結び身体に固定した後、結び紐９、１１同士の結び目は、表体１９の上面に現れないように、着物と裏体２１との間に差し込む。
【００３８】
（３）帯揚げ５２で包んだ平らな面が着用者の背面に位置し、かつ凸部側が上方側に向くように位置決めをした帯枕４８に対して絞り部３３で帯枕４８を被せるように覆い、そのまま帯本体部３０の上端部で帯枕４８と接するように位置決めした状態にする。
【００３９】
（４）次いで、手先部４０の先端部を太鼓部３９と第一折り返し部３８ａ（図５）との間で折り返しながら挿入する。そのとき、外側から見て、手先部４０が太鼓部３９の両端部からそれぞれ左右に略均等に出ているように手先部４０の左右の長さを調整する（図７）。
【００４０】
（５）ここで予め帯締め４６を挿通しておく。
（６）次いで、挟持具５４で太鼓部３９と手先部４０と帯締め４６を一緒に挟持し、固定する（図７）。
（７）このような準備をして、お太鼓を着用者の後部にあてがい、帯枕４８の包み帯体の両端を前側でしっかり結ぶ。
【００４１】
（８）引き続き、帯揚げ５２を形良く整え（例えば、帯揚げ５２の両端部を縦軸線方向に３つ折りか、または４つ折りにする）、包み帯体を隠すように包み帯体の上部側に位置させた後、帯揚げ５２の両端部を着用者の前側にて軽く結ぶとともに、余りを着物と裏体２１との間に差し込む。
【００４２】
（９）次いで、帯締め４６の両端部をすでに着用者が装着している胴回部３の前部側の中央部で形良く結び、先端部は帯締め４６の脇の下あたりで帯締め４６の下に挟み込んでおく。
【００４３】
（１０）この時、鏡を見てもっと大きい太鼓部３９を希望する場合は、太鼓部３９の帯枕４８のところに両手を差し込んで、帯枕４８を引き上げて太鼓部３９を大きくする。逆に、小さい太鼓部３９を希望する場合は、垂先部３６と着物との間から片手を差し込んで太鼓部３９の絞り部３３を下方側に引っ張ると小さくなる。
【００４４】
（１１）太鼓部３９と手先部４０と帯締め４６を一緒に挟持し、固定している挟持具５４を外す。
【００４５】
【実施例２】
本発明の簡易帯１００は、表地と裏地とを逢着して二重にし重厚感を持たせた簡易帯１００として使用できるようにしたものであり、実施例１と同様に胴回部１０３とお太鼓１０５とが別体に構成してある。なお、実施例１の胴回部３では表地のみで縫着したのに対して、実施例２の胴回部１０３では表地と裏地とを縫着して袋帯としたものであり、その他の全体構成はほとんど同一であるため、胴回部１０３についての説明は省略し、構成や機能の異なるお太鼓１０５についてのみ詳述する。
【００４６】
お太鼓１０５について図８〜図１０を用いて説明する。図８は本発明の簡易帯のその他の実施例である。お太鼓１０５は、帯本体部１３０と手先部１４０から構成されている。
【００４７】
まず、帯本体部１３０について説明する。図９に示すように帯本体部１３０は幅が約３０ｃｍ、長さが約１５０ｃｍの大きさの略長方形状を成し、この帯本体部１３０は２つ折りにして太鼓部１３９を含めた長さが約８２ｃｍの主要部１３８ａと、長さが約６８ｃｍの折り返し部１３８ｂとで構成されている。
【００４８】
主要部１３８ａと折り返し部１３８ｂの両先端部は、図９に示すように意図的に長さの異なる寸法にして縫着してある。また主要部１３８ａの上方側には太鼓部１３９を有し、その下方側には、太鼓部１３９に隣接した垂先部１３６を有した構成をなしている。主要部１３８ａと折り返し部１３８ｂを２つに折り返した後、約１４ｃｍずらした状態で折り返し部１３８ｂの端部を主要部１３８ａに端部ＴからＸの長さを残し、それ以外の部分は重畳的に縫着してある。
【００４９】
つぎに帯本体部１３０の縦軸線方向と直交する横軸線方向に縫着された手先部１４０について述べる。図９に示すように、手先部１４０の一方端部は、主要部１３８ａと折り返し部１３８ｂを２つに折り返し約１４ｃｍずらした状態で折り返し部１３８ｂの端部を主要部１３８ａに重畳縫着した後、さらにその上から帯本体部１３０の半分程度の長さ位置に縫着してある。
【００５０】
図９に示すように、前述した手先部１４０の反基端部側は縫着せずに自由端とし、この自由端側から約１５ｃｍ程度帯本体部１３０側に寄った手先部１４０の横軸線上に、小さい矩形状の帯片に切断加工した手先部１４０と同材質の紐通し部１４４が輪っか状に縫着されている。
【００５１】
この紐通し部１４４は帯締め１４６を挿通して使用するためのものである。このような紐通し部１４４を手先部１４０の裏面側に配設することにより着用者が初心者であっても帯締め１４６が手先部１４０の上下方向にずれることもなく、安定して締め付けることができる。
【００５２】
次に、符合１４８（図８）は帯枕であり、帯枕１４８を両端部が帯枕１４８を出し入れ可能なように両端部が開放された筒状の包み帯体（図示略）で内包し、胴回部１０３の上縁部に周回させて装着するようになっている。
【００５３】
また、帯枕１４８を内包した包み帯体で帯枕１４８の全体を隠すようにするとともに、さらに包み帯体の上部から帯揚げ１５２で包んだ上で、帯揚げ１５２の上から例えばゴムバンド（図示略）などで帯枕１４８と包み帯体と帯揚げ１５２が相互にずれないように固定する。なお、帯揚げ１５２は帯枕１４８を内包した包み帯体を外部から見て分からないように隠すための装飾用帯の役目を有する。
【００５４】
なお、帯枕１４８を固定する位置は、着用者の希望によって異なるが、一般的には、太鼓部１３９を大きく見せたい場合は、図８に示すように帯枕１４８を手先部１４０の上端位置より少し離間した上方に設けてもよい。逆に、太鼓部１３９を小さく見せたい場合は、帯枕１４８を手先部１４０の上端部に接した位置に設けてもよい。
【００５５】
着用者が簡易帯１００を一人で帯を結ぶ場合の動作手順について説明する。
【００５６】
着用者が和服を着上げた後で、簡易帯１００を締めるところから説明する。
まず、胴回部１０３については、実施例１の胴回部３と装着の動作手順が同一であるため、説明を省略し、着用者が胴回部１０３を装着した状態から説明する。
（１）帯揚げ１５２で包んだ平らな面が着用者の背面に位置し、かつ凸部側が上方側に向くように位置決めをした帯枕１４８に対して、図１０に示すように帯本体部１３０を内側に太鼓部１３９の大きさに合わせて内側に入れ込むように折り曲げた状態で覆い、そのまま帯本体部１３０の上端部で帯枕１４８と接するように位置決めした状態にする。
【００５７】
（２）ここで太鼓部１３９が所望する大きさより大きい場合は、帯本体部１３０を内側に入れ込むよう際に折り曲げる長さを少なくするとよく、逆に太鼓部１３９が小さい場合は帯本体部１３０を内側に入れ込むよう際に折り曲げる長さを大きくするとよい。
【００５８】
（３）図１０に示すように、折り曲げた太鼓部１３９のＹ部（太鼓部１３９のすぐ裏側に位置する）に手先部１４０の先端部が帯本体部１３０の側面から外部に大きく出るように挿入する。そのとき、外側から見て、手先部１４０が太鼓部１３９の両端部からそれぞれ左右に略均等（例えば、約２〜３ｃｍずつ）に出ているように手先部１４０の左右の長さを調整する（図８）。因みに実施例１では帯本体部３０の側面から外部に大きく出る手先部４０の長さは、約１ｃｍ程度である。
【００５９】
（４）ここで予め帯締め１４６を挿通しておく。
（５）次いで、挟持具１５４で太鼓部１３９と手先部１４０と帯締め１４６を一緒に挟持し、固定する（図８）。
（６）このような準備をして、お太鼓１０５を着用者の後部にあてがい、帯枕１４８の包み帯体の両端を前側でしっかり結ぶ。
【００６０】
（７）引き続き、帯揚げ１５２を形良く整え（例えば、帯揚げ１５２の両端部を縦軸線方向に３つ折りか、または４つ折りにする）、包み帯体を隠すように包み帯体の上部側に位置させた後、帯揚げ１５２の両端部を着用者の前側にて軽く結ぶとともに、余りを着物と裏体２１（実施例１に同じ）との間に差し込む。
【００６１】
（８）次いで、帯締め１４６の両端部をすでに着用者が装着している胴回部１０３の前部側の中央部で形良く結び、先端部は帯締め１４６の脇の下あたりで帯締め１４６の下に挟み込んでおく。
【００６２】
（９）この時、鏡を見てもっと大きい太鼓部１３９を希望する場合は、図１０に示す太鼓部１３９の大きさに合わせて側面から片手を差し込んで内側に入れ込んでいる折り曲げの長さを調整するのである。すなわち、大きい太鼓部１３９を希望する場合は、太鼓部１３９の先端部の折り込み部分を小さくするとよい。逆に、小さい太鼓部１３９を希望する場合は、太鼓部１３９の先端部の折り込み部分を大きくするように引っ張るよい。
【００６３】
（１０）太鼓部１３９と手先部１４０と帯締め１４６を一緒に挟持し、固定している挟持具１５４を外す。
【００６４】
なお、簡易帯１および簡易帯１００の材質としては、木綿、ちりめん、正絹ちりめん、塩瀬、西陣織などの材質に限定されるものではなく、これ以外の材質のものを自由に選択することができる。
【００６５】
【発明の効果】
以上説明したように本発明の簡易帯によれば、次のような効果を奏する。すなわち、
（１）胴回部を装着し、引き続き太鼓部を着用者の後部側に装着することにより、補助者を要することなく着用者自身で帯結びが至極簡単に行える。
（２）太鼓部の下端部の折り返し部分と垂先部の上端部との一部を縫着することにより、垂先部が安定し帯を結んだ後の手直しが不要となる。
（３）太鼓部の下端部の折り返し部分と垂先部の上端部との両端を縫着しないことで、一本の帯でお太鼓結びをした場合とかわらないように仕上がる。
（４）手先部に帯締めを挿通するための挿通孔を設けることにより帯締めの位置が安定し、補助者を要することなく着用者自身で帯を結ぶことが至極簡易に一人で行える。
（５）手先部については単に折り込みながら素早く形成でき、仕上がりが確実で形崩れもしないお太鼓を形成できる。
（６）帯本体部を単に折り返すだけで希望する大きさと、重厚感ならびに高級感のある太鼓部が形成でき、補助者を要することなく着用者自身で帯結びが至極簡単に行える。
【図面の簡単な説明】
【図１】本発明に係る本発明の簡易帯の展開図である。
【図２】本発明に係る胴回部の正面図である。
【図３】図２の胴回部に帯板を挿入するための説明図である。
【図４】本発明に係るお太鼓の下方部を裏返しにした展開図である。
【図５】お太鼓の表側からみた展開図である。
【図６】太鼓部と折り返し部との縫着状態を説明する説明図である。
【図７】帯本体部の絞り部を折り曲げて帯枕の内側に組み込んだ正面図である。
【図８】本発明の簡易帯のその他の実施例である。
【図９】本発明に係るお太鼓を裏返した場合の展開図である。
【図１０】帯本体部を折り曲げて太鼓部を形成した正面図である。
【符号の説明】
１        簡易帯
３        胴回部
５        お太鼓
７        帯胴体
９、１１    結び紐
１３      胴回本体部
１５ａ    カット部（テーパー状）
１５ｂ    カット部（略直角）
１９      表体
２１      裏体
２３      帯板
３０      帯本体部
３１      上端部
３２      タック部
３３      絞り部
３４      下端部
３６      垂先部
３８      折り返し部
３８ａ    第一の折り返し部
３８ｂ    第二の折り返し部
３９      太鼓部
４０      手先部
４２      上線
４４      紐通し部
４６      帯締め
４８      帯枕
５２      帯揚げ
５４      挟持具
１００    簡易帯
１０３    胴回部
１０５    お太鼓
１３０    帯本体部
１３６    垂先部
１３８ａ    主要部
１３８ｂ    折り返し部
１３９    太鼓部
１４０    手先部
１４４    紐通し部
１４６    帯締め
１４８    帯枕
１５２    帯揚げ
１５４    挟持具
【図１】
0003658576.tif 000002
【図２】
0003658576.tif 000003
【図３】
0003658576.tif 000004
【図４】
0003658576.tif 000005
【図５】
0003658576.tif 000006
【図６】
0003658576.tif 000007
【図７】
0003658576.tif 000008
【図８】
0003658576.tif 000009
【図９】
0003658576.tif 000010
【図１０】
0003658576.tif 000011